(57)【要約】      （修正有）【課題】ボウリングにおいて、爪の破損等をより効果的に防ぐ手袋を提供する。【解決手段】ボウリング用の手袋であって、小指、薬指、中指、人差し指、及び親指を挿入するための指袋の少なくとも一以上の指袋の指先内部に、爪を保護するための保護部材１０ａ〜１０ｅを備える。手袋１は、例えば、ゴム、合成樹脂、皮革、合成皮革、繊維、合成繊維、又はこれらのいずれか複数の組み合わせなどで造られる。【選択図】図１
0003164220.tif 000002
【実用新案登録請求の範囲】
【請求項１】
ボウリング用の手袋であって、
小指、薬指、中指、人差し指、及び親指を挿入するための指袋の少なくとも一以上の指袋の指先内部に、爪を保護するための保護部材を備える、
ことを特徴とする手袋。
【請求項２】
請求項１に記載の手袋であって、
小指、薬指、中指、及び人差し指の爪を保護するための第一保護部材は、爪の先端から指の付け根に向かって伸び、爪の先端及び指の腹側を覆うように形成される、
ことを特徴とする手袋。
【請求項３】
請求項２に記載の手袋であって、
前記第一保護部材の一端は、爪の先端まで伸び、指先腹側及び爪先を覆うように先細っており、他端は、指の第一関節から第二関節の間の第二関節に近い位置まで伸びている、
ことを特徴とする手袋。
【請求項４】
請求項１〜３いずれか一項に記載の手袋であって、
親指の爪を保護するための第二保護部材は、爪の先端から親指の付け根に向かって伸び、爪の横側及び指の側面を覆うように形成され、親指の左側及び右側にそれぞれ設けられる、
ことを特徴とする手袋。
【請求項５】
請求項４に記載の手袋であって、
前記第二保護部材の一端は、爪の先端まで伸び、指先側面及び爪の横側を覆うように先細っており、他端は、指の先端から指の第一関節の間の第一関節に近い位置まで伸びている、
ことを特徴とする手袋。
【請求項６】
請求項１〜５いずれか一項に記載の手袋であって、
前記保護部材は、略半円筒形の側面に沿うように曲げられた板状の本体部と、該本体部から爪の先端に向かって延長され、略半円錐台形の側面に沿うように曲げられた板状の延長部とから形成されている、
ことを特徴とする手袋。
【請求項７】
請求項１に記載のボウリング用の手袋であって、
前記保護部材は、爪の先端から指の付け根に向かって伸び、爪及び指に被さるように形成される、
ことを特徴とする手袋。
【請求項８】
請求項７に記載の手袋であって、
小指、薬指、中指、及び人差し指の爪を保護するための保護部材の一端は、爪の先端まで伸び、爪の先端及び指先に沿うように先細っており、他端の開口は、指の第一関節から第二関節の間の第二関節に近い位置まで伸びている、
ことを特徴とする手袋。
【請求項９】
請求項７又は８に記載の手袋であって、
親指の爪を保護するための保護部材の一端は、爪の先端まで伸び、爪の先端及び指先に沿うように先細っており、他端の開口は、指の先端から指の第一関節の間の第一関節に近い位置まで伸びている、
ことを特徴とする手袋。
【請求項１０】
請求項１、７〜９いずれか一項に記載の手袋であって、
前記保護部材は、略半円筒形の本体部と、該本体部から爪の先端に向かって延長され、略半円錐台形の延長部とから形成されている、
ことを特徴とする手袋。
【考案の詳細な説明】
【技術分野】
【０００１】
本考案は、手袋に関し、特に、ボウリング（Bowling）用の手袋に関する。
【背景技術】
【０００２】
ボウリングに使用されるボールには、複数の指、例えば、中指、人差し指、及び親指の３本を挿入するための穴が開けられている。プレイヤーは、これらの穴に対応する指を挿入してボールを掴み、ボールを転がす（投げる）ことができる。
【考案の概要】
【考案が解決しようとする課題】
【０００３】
ところで、ファッションの一部として、主に女性の間では、自身の爪を長く伸ばしたり、この長爪の表面をマニキュアやネイルアート等により装飾したり、自身の爪に長い付け爪を施したりすることがある。
【０００４】
しかし、このような長爪や付け爪は、ボウリングをプレイするに当たって支障となることがある。例えば、ボールを転がす際に、ボールの穴の内壁や穴の入口の縁に当たって、長爪、付け爪、これらの爪の装飾等が破損したり、付け爪が外れたりすることがある。このような事態が発生するおそれから、ボウリングをプレイすることを避けざるを得なくなることもある。
【０００５】
そこで、本考案は、爪の破損等をより効果的に防ぐ手袋を提供することを目的とする。
【課題を解決するための手段】
【０００６】
上記の課題を解決するための本考案の第一の態様は、ボウリング用の手袋であって、小指、薬指、中指、人差し指、及び親指を挿入するための指袋の少なくとも一以上の指袋の指先内部に、爪を保護するための保護部材を備える、ことを特徴とする。
【０００７】
より具体的な、上記の課題を解決するための本考案の第二の態様は、上記の第一の態様の手袋であって、小指、薬指、中指、及び人差し指の爪を保護するための第一保護部材は、爪の先端から指の付け根に向かって伸び、爪の先端及び指の腹側を覆うように形成される、ことを特徴とする。
【０００８】
ここで、前記第一保護部材の一端は、爪の先端まで伸び、指先腹側及び爪先を覆うように先細っており、他端は、指の第一関節から第二関節の間の第二関節に近い位置まで伸びている、ことを特徴としていてもよい。
【０００９】
また、親指の爪を保護するための第二保護部材は、爪の先端から親指の付け根に向かって伸び、爪の横側及び指の側面を覆うように形成され、親指の左側及び右側にそれぞれ設けられる、ことを特徴としていてもよい。
【００１０】
また、前記第二保護部材の一端は、爪の先端まで伸び、指先側面及び爪の横側を覆うように先細っており、他端は、指の先端から指の第一関節の間の第一関節に近い位置まで伸びている、ことを特徴としていてもよい。
【００１１】
また、前記保護部材は、略半円筒形の側面に沿うように曲げられた板状の本体部と、該本体部から爪の先端に向かって延長され、略半円錐台形の側面に沿うように曲げられた板状の延長部とから形成されている、ことを特徴としていてもよい。
【００１２】
より具体的な、上記の課題を解決するための本考案の第三の態様は、上記の第一の態様の手袋であって、前記保護部材は、爪の先端から指の付け根に向かって伸び、爪及び指に被さるように形成される、ことを特徴とする。
【００１３】
ここで、小指、薬指、中指、及び人差し指の爪を保護するための保護部材の一端は、爪の先端まで伸び、爪の先端及び指先に沿うように先細っており、他端の開口は、指の第一関節から第二関節の間の第二関節に近い位置まで伸びている、ことを特徴としていてもよい。
【００１４】
また、親指の爪を保護するための保護部材の一端は、爪の先端まで伸び、爪の先端及び指先に沿うように先細っており、他端の開口は、指の先端から指の第一関節の間の第一関節に近い位置まで伸びている、ことを特徴としていてもよい。
【００１５】
また、前記保護部材は、略半円筒形の本体部と、該本体部から爪の先端に向かって延長され、略半円錐台形の延長部とから形成されている、ことを特徴としていてもよい。
【考案の効果】
【００１６】
本考案によれば、爪の破損等をより効果的に防ぐことができる。
【図面の簡単な説明】
【００１７】
【図１】本考案の第一実施形態に係る手袋の一例の外観（手の平側）を示す図である。
【図２】本考案の第一実施形態に係る手袋の爪の保護部材（小指〜人差し指）の一例の外観（正面、右側面、斜視）を示す図である。
【図３】本考案の第一実施形態に係る手袋の爪の保護部材（小指〜人差し指）の一例の使用状態を説明する図である。
【図４】本考案の第一実施形態に係る手袋の爪の保護部材（親指）の一例の外観（正面、右側面、斜視）を示す図である。
【図５】本考案の第一実施形態に係る手袋の爪の保護部材（親指）の一例の使用状態を説明する図である。
【図６】本考案の第二実施形態に係る手袋の一例の外観（手の平側）を示す図である。
【図７】本考案の第二実施形態に係る手袋の爪の保護部材（小指〜人差し指）の一例の外観（正面、右側面、斜視）を示す図である。
【図８】本考案の第二実施形態に係る手袋の爪の保護部材（小指〜人差し指）の一例の使用状態を説明する図である。
【図９】本考案の第二実施形態に係る手袋の爪の保護部材（親指）の一例の外観（正面、右側面、斜視）を示す図である。
【図１０】本考案の第二実施形態に係る手袋の爪の保護部材（親指）の一例の使用状態を説明する図である。
【考案を実施するための形態】
【００１８】
以下、本考案の第一実施形態について、図面を参照して説明する。
【００１９】
図１は、本考案の第一実施形態に係る手袋の一例の外観（手の平側）を示す図である。図２は、本考案の第一実施形態に係る手袋の爪の保護部材（小指〜人差し指）の一例の外観（正面、右側面、斜視）を示す図である。図３は、本考案の第一実施形態に係る手袋の爪の保護部材（小指〜人差し指）の一例の使用状態を説明する図である。図４は、本考案の第一実施形態に係る手袋の爪の保護部材（親指）の一例の外観（正面、右側面、斜視）を示す図である。図５は、本考案の第一実施形態に係る手袋の爪の保護部材（親指）の一例の使用状態を説明する図である。
【００２０】
手袋１は、ボウリング用の手袋であり、ボールを転がす手に着けられる。図１では、右手用の手袋を示している。左手用の手袋は、図１の手袋１と線対象の形状となる。なお、プレイヤーは、手袋１を両手に着けるようにしてもよい。
【００２１】
手袋１は、例えば、ゴム、合成樹脂、皮革、合成皮革、繊維、合成繊維、又はこれらのいずれか複数の組み合わせなどで造られる。代表的には、手袋１は、例えば、ゴムにより一体形成される。
【００２２】
手袋１は、５本の指（小指、薬指、中指、人差し指、親指）それぞれに対応する指袋を備える。各指袋は、その内部に、対応する指の保護部材１０（小指の保護部材１０ａ、薬指の保護部材１０ｂ、中指の保護部材１０ｃ、人差し指の保護部材１０ｄ、親指の保護部材１０ｅ）を備える。なお、詳細は後述するが、保護部材１０ｅは、親指に対して２つ使用される。
【００２３】
保護部材１０は、例えば、接着剤により、指袋の内面に接着される。もちろん、保護部材１０の指袋への固定方法は、接着剤に限られない。
【００２４】
保護部材１０は、例えば、合成樹脂などで造られる。代表的には、保護部材１０は、例えば、一般的な付け爪程度の厚さ及び強度で、合成樹脂により一体形成される。
【００２５】
図２に示すように、保護部材１０（ａ〜ｄ）は、略半円筒形の側面に沿うように曲げられた板状の本体部と、該本体部から延長され、略半円錐台形の側面に沿うように曲げられた板状の延長部とからなる。延長部は、図面右方向（指先の方向）に向かって背面側から正面側に向かって緩やかに弧を描いており、また、図面右方向に向かって先細っている。
【００２６】
図３（Ａ）は、保護部材１０（ａ〜ｄ）が指（小指〜人差し指）と密着した状態を示している。本図に示すように、保護部材１０（ａ〜ｄ）は、爪の先端側から指の付け根側に向かって伸び、爪の先端及び指の腹側を覆う形状となっている。保護部材１０（ａ〜ｄ）の爪側の一端は、指の先端の皮膚よりも長く伸びた長爪の先端よりもやや長く伸びており、他端は、指の第一関節から第二関節の間の第二関節に近い位置まで伸びている。
【００２７】
図３（Ｂ）は、保護部材１０（ａ〜ｄ）が手袋１に接着された状態を示している。本図に示すように、保護部材１０（ａ〜ｄ）は、背面が指袋の腹側の内面に接着される。また、保護部材１０（ａ〜ｄ）は、その延長部の先端部の外面が指袋の先端部の内面に位置するように接着される。
【００２８】
図３（Ｃ）は、手袋１に指（小指〜人差し指）が挿入された状態を示している。本図に示すように、指は、その腹側が保護部材１０（ａ〜ｄ）の正面（内面）に密着している。指の長爪の先端は、延長部の先端よりもやや短い位置（図面における左方向）にある。また、指の第二関節の、指先から見てやや手前に、本体部の端が位置している。
【００２９】
図４に示すように、保護部材１０ｅは、略半円筒形の側面に沿うように曲げられた板状の本体部と、該本体部から延長され、略半円錐台形の側面に沿うように曲げられた板状の延長部とからなる。延長部は、図面右方向（指先の方向）に向かって背面側から正面側に向かって緩やかに弧を描いており、また、図面右方向に向かって先細っている。
【００３０】
図５に示すように、保護部材１０ｅは、親指の左側面（図面における上方向）と右側面（図面における下方向）に、それぞれ使用される。
【００３１】
図５（Ａ）は、保護部材１０ｅが親指と密着した状態を示している。指の左側の保護部材１０ｅは、爪の先端側から指の付け根側に向かって伸び、爪の先端の左側、爪の左横側、及び指の左側面を覆う形状となっている。指の右側の保護部材ｅは、爪の先端側から指の付け根側に向かって伸び、爪の先端の右側、爪の右横側、及び指の右側面を覆う形状となっている。左右の保護部材１０ｅの爪側の一端は、指の先端の皮膚よりも長く伸びた長爪の先端よりもやや長く伸びており、他端は、指の先端から第一関節の間の第一関節に近い位置まで伸びている。
【００３２】
図５（Ｂ）は、保護部材１０ｅが手袋１に接着された状態を示している。本図に示すように、指の左側の保護部材１０ｅは、背面が指袋の左側面の内面に接着される。また、指の右側の保護部材１０ｅは、背面が指袋の右側面の内面に接着される。また、左右の保護部材１０ｅは、その延長部の先端部の外面が指袋の先端部の内面に位置するように接着される。
【００３３】
図５（Ｃ）は、手袋１に親指が挿入された状態を示している。本図に示すように、指は、その左右側面が左右の保護部材１０ｅの正面（内面）に密着している。また、指の長爪の先端は、延長部の先端よりもやや短い位置（図面における左方向）にある。また、指の第一関節の、指先から見てやや手前に、本体部の端が位置している。
【００３４】
以上のように、手袋１が保護部材１０ａ〜ｅを備えていることにより、ボールをプレイヤーが転がす際に、ボールの穴の内壁及び入口の縁と、指及び爪との間に、保護部材１０ａ〜ｅが挟まるようになる。その結果、ボールから爪に対して負荷が掛かりにくくなり、長爪、付け爪、これらの爪の装飾等が破損したり、付け爪が外れたりしにくくなる。また、ボールがスムーズに手から離れるようになるため、プレイへの影響もほとんどない。また、ボールの穴に指を入れたりボールを手に持ったりする際も、爪への負荷が減り、長爪、付け爪、これらの爪の装飾等が破損したり、付け爪が外れたりしにくくなる。
【００３５】
なお、保護部材１０ａ〜ｅの長さや幅は、指に応じて適宜変更すればよい。保護部材１０ａ〜ｅの長さや幅は、例えば、男性や女性の平均的な指の形状を目安とすればよい。
【００３６】
また、上記の実施形態では、全ての指袋に保護部材が備えられているが、例えば、薬指、中指、及び親指、のようにボールの穴に使用する指の指袋に備えるようにしてもよい。少なくともいずれか一以上の指について備えられるようにしてもよい。
【００３７】
以上、本考案の第一実施形態について説明した。本実施形態によれば、ボウリングにおいて、爪の破損等をより効果的に防ぐことができる。
【００３８】
次に、本考案の第二実施形態について、図面を参照して説明する。
【００３９】
本実施形態の保護部材２０は、第一実施形態の保護部材１０と異なり、指に被せる形状となっている。以下、第一実施形態と異なる点を中心に説明する。
【００４０】
図６は、本考案の第二実施形態に係る手袋の一例の外観（手の平側）を示す図である。図７は、本考案の第二実施形態に係る手袋の爪の保護部材（小指〜人差し指）の一例の外観（正面、右側面、斜視）を示す図である。図８は、本考案の第二実施形態に係る手袋の爪の保護部材（小指〜人差し指）の一例の使用状態を説明する図である。図９は、本考案の第二実施形態に係る手袋の爪の保護部材（親指）の一例の外観（正面、右側面、斜視）を示す図である。図１０は、本考案の第二実施形態に係る手袋の爪の保護部材（親指）の一例の使用状態を説明する図である。
【００４１】
図６に示すように、手袋２の各指袋は、その内部に、対応する指の保護部材２０（小指の保護部材２０ａ、薬指の保護部材２０ｂ、中指の保護部材２０ｃ、人差し指の保護部材２０ｄ、親指の保護部材２０ｅ）を備える。
【００４２】
保護部材２０は、例えば、接着剤により、指袋の内面に接着される。もちろん、保護部材２０の指袋への固定方法は、接着剤に限られない。
【００４３】
保護部材２０は、例えば、合成樹脂などで造られる。代表的には、保護部材２０は、例えば、一般的な付け爪程度の厚さ及び強度で、合成樹脂により一体形成される。より具体的な材料としては、例えば、パウチフィルムなどが挙げられる。
【００４４】
図７に示すように、保護部材２０（ａ〜ｄ）は、略半円筒形の本体部と、該本体部から延長され、略半円錐台形の延長部とからなる。延長部は、図面右方向（指先の方向）に向かって背面側から正面側に向かって緩やかに弧を描いており、また、図面右方向に向かって先細っている。
【００４５】
図８（Ａ）は、保護部材２０（ａ〜ｄ）に指（小指〜人差し指）が挿入されて密着した状態を示している。本図に示すように、保護部材２０（ａ〜ｄ）は、爪の先端側から指の付け根側に向かって伸び、爪の先端及び指に被さる形状となっている。保護部材２０（ａ〜ｄ）の爪側の一端は、指の先端の皮膚よりも長く伸びた長爪の先端よりもやや長く伸びており、爪及び指先に沿って先細っており、他端の開口は、指の第一関節から第二関節の間の第二関節に近い位置まで伸びている。
【００４６】
図８（Ｂ）は、保護部材２０（ａ〜ｄ）が手袋２に接着された状態を示している。本図に示すように、保護部材２０（ａ〜ｄ）は、全面が指袋の内面に接着される。また、保護部材２０（ａ〜ｄ）は、その延長部の先端部の外面が指袋の先端部の内面に位置するように接着される。もちろん、保護部材２０（ａ〜ｄ）の全面ではなく一部、例えば、背面が指袋に接着されるようにしてもよい。
【００４７】
図８（Ｃ）は、手袋２に指（小指〜人差し指）が挿入された状態を示している。本図に示すように、指の長爪の先端は、延長部の先端よりもやや短い位置（図面における左方向）にある。また、指の第二関節の、指先から見てやや手前に、本体部の端が位置している。
【００４８】
図９に示すように、保護部材２０ｅは、保護部材２０（ａ〜ｄ）と同様の形状（図７参照）となっているので説明を省略する。
【００４９】
図１０（Ａ）は、保護部材２０ｅに親指が挿入されて密着した状態を示している。保護部材２０（ａ〜ｄ）と異なり、保護部材２０ｅの爪側の一端と反対の他端は、指の先端から第一関節の間の第一関節に近い位置まで伸びている。
【００５０】
図１０（Ｂ）は、保護部材２０ｅが手袋１に接着された状態を示している。接着方法は、保護部材２０（ａ〜ｄ）と同様なので説明を省略する。
【００５１】
図１０（Ｃ）は、手袋２に親指が挿入された状態を示している。保護部材２０（ａ〜ｄ）と異なり、親指の第一関節の、指先から見てやや手前に、本体部の端が位置している。
【００５２】
以上のように、手袋２が保護部材２０ａ〜ｅを備えていることにより、ボールをプレイヤーが転がす際に、ボールの穴の内壁及び入口の縁と、指及び爪との間に、保護部材２０ａ〜ｅが挟まるようになる。その結果、ボールから爪に対して負荷が掛かりにくくなり、長爪、付け爪、これらの爪の装飾等が破損したり、付け爪が外れたりしにくくなる。また、ボールがスムーズに手から離れるようになるため、プレイへの影響もほとんどない。また、ボールの穴に指を入れたりボールを手に持ったりする際も、爪への負荷が減り、長爪、付け爪、これらの爪の装飾等が破損したり、付け爪が外れたりしにくくなる。
【００５３】
また、保護部材２０は、第一実施形態の保護部材１０と異なり、爪及び指に被さる形状となっているため、爪の全面（特に、上面）への負荷をより軽減することができる。また、第一実施形態の保護部材１０では、爪を保護できる範囲が狭い、すなわち、爪が長くなるにつれてその先端部が保護部材１０の先端からはみ出すおそれが高くなるのに対し、第二実施形態の保護部材２０ではそのおそれがない。そのため、第一実施形態の保護部材１０で保護できる爪よりも長い爪を保護することができる。
【００５４】
なお、保護部材２０ａ〜ｅの長さや幅は、指に応じて適宜変更すればよい。保護部材２０ａ〜ｅの長さや幅は、例えば、男性や女性の平均的な指の形状を目安とすればよい。
【００５５】
また、上記の実施形態では、全ての指袋に保護部材が備えられているが、例えば、薬指、中指、及び親指、のようにボールの穴に使用する指の指袋に備えるようにしてもよい。少なくともいずれか一以上の指について備えられるようにしてもよい。
【００５６】
以上、本考案の第二実施形態について説明した。本実施形態によれば、ボウリングにおいて、爪の破損等を、第一実施形態よりもさらに効果的に防ぐことができる。
【００５７】
上記の本発明の実施形態は、本発明の要旨と範囲を例示することを意図し、限定するものではない。多くの代替物、修正および変形例が当業者にとって明らかである。
【００５８】
第一実施形態の手袋１及び第二実施形態の手袋２は、ボウリングに限られず、日常生活において長爪や付け爪を保護するための手袋として適用することもできる。
【符号の説明】
【００５９】
１：手袋、１０：保護部材、１０ａ：小指の保護部材、１０ｂ：薬指の保護部材、１０ｃ：中指の保護部材、１０ｄ：人差し指の保護部材、１０ｅ：親指の保護部材、
２：手袋、２０：保護部材、２０ａ：小指の保護部材、２０ｂ：薬指の保護部材、２０ｃ：中指の保護部材、２０ｄ：人差し指の保護部材、２０ｅ：親指の保護部材
【図１】
0003164220.tif 000003
【図２】
0003164220.tif 000004
【図３】
0003164220.tif 000005
【図４】
0003164220.tif 000006
【図５】
0003164220.tif 000007
【図６】
0003164220.tif 000008
【図７】
0003164220.tif 000009
【図８】
0003164220.tif 000010
【図９】
0003164220.tif 000011
【図１０】
0003164220.tif 000012